(57)【特許請求の範囲】
【請求項１】
車両に設置された車載情報機器と無線通信を行う無線通信装置において、
前記車載情報機器からメディアデータを受信する受信部と、
前記受信部が受信したメディアデータを出力する再生処理部と、
前記車載情報機器と前記無線通信装置との通信状況情報を保持する通信状況保持部と、
車両周辺情報に基づいて前記無線通信装置の使用状況を判断し、使用状況情報を生成する使用状況判定部と、
前記通信状況保持部で保持されている前記通信状況情報と前記使用状況判定部で生成された前記使用状況情報とを用いて、前記メディアデータの品質を決定する品質決定部と、  前記品質決定部で生成された前記品質を、前記メディアデータの品質情報として前記車載情報機器へ送信する送信部と
を備えたことを特徴とする無線通信装置。
【請求項２】
前記品質決定部は、前記通信状況情報に含まれるパケットエラー率が閾値以上である場合に、前記使用状況情報に基づき、前記車載情報機器から受信する前記メディアデータの品質を変更することを特徴とする請求項１記載の無線通信装置。
【請求項３】
前記使用状況判定部は、前記車両周辺情報としてマイクから車内の音を収集し、前記車内の音に基づいて、会話中であるか否かという使用状況情報を生成することを特徴とする請求項１記載の無線通信装置。
【請求項４】
前記使用状況判定部は、前記車両周辺情報として前記車載情報機器から受信した車両情報に基づいて、騒音発生中であるか否かという使用状況情報を生成することを特徴とする請求項１記載の無線通信装置。
【請求項５】
前記使用状況判定部は、前記車両周辺情報としてカメラにより取得した画像に基づいて、ユーザが画面を注視しているか否かという使用状況情報を生成することを特徴とする請求項１記載の無線通信装置。
【請求項６】
前記無線通信装置の操作情報を保持する操作情報保持部をさらに備え、
前記品質決定部は、前記通信状況情報と前記使用状況情報に加え、前記操作情報保持部で保持されている操作情報を用いて前記メディアデータの品質を決定することを特徴とする請求項１記載の無線通信装置。
【請求項７】
前記操作情報は、音量の変更操作があったか否かという情報を含み、
前記品質決定部は、前記操作情報に音量の変更操作があった場合には、前記メディアデータの品質を変更しないことを特徴とする請求項６記載の無線通信装置。
【請求項８】
前記使用状況判定部は、前記使用状況情報に加え、使用者を判断して使用者情報をさらに生成し、
前記品質決定部は、前記通信状況情報と前記使用状況情報に加え、前記使用者情報を用いて前記メディアデータの品質を決定することを特徴とする請求項１記載の無線通信装置。
【請求項９】
前記使用者情報には、前記無線通信装置の使用者が子供であるか否かという情報を含み、
前記品質決定部は、前記使用者情報が子供であった場合には、前記メディアデータの品質を変更しないことを特徴とする請求項８記載の無線通信装置。
【発明の詳細な説明】
【技術分野】
【０００１】
この発明は、自動車などの移動体に搭載される無線通信装置に関するものである。
【背景技術】
【０００２】
車載情報機器に無線通信機能を搭載し、車内にある無線通信装置との通信を行うという需要が増えつつある。例えば、カーナビゲーションシステム（カーナビ）のような車載情報機器にある音楽データや映像データを、後部座席の無線通信装置上で視聴するということが考えられている。また、その他にも無線通信装置上で、カーナビの操作を行うことや、車載情報機器で受信したデジタル放送を視聴することが考えられている。【０００３】
このような、車載情報機器と車内の無線通信装置との接続では、無線ＬＡＮを用いることが検討されている。無線ＬＡＮとは、国際的な標準化活動により規格化されたIEEE802.11b/g/nなどを利用した技術であり、パソコンやゲーム機などでも用いられている。
無線ＬＡＮを用いた通信は、広く利用されており、オフィスや家庭では、無線ＬＡＮルータが設置され、パソコンなどとの接続に用いられている。また、近年では、屋外でも無線ＬＡＮを使用できる場所として、公衆無線ＬＡＮスポットが増加しつつある。【０００４】
しかしながら、このように周囲に他の無線ＬＡＮネットワークがあると、通信環境が悪化し、利用する帯域を十分に確保することができない場合がある（図２（ａ）参照）。
また、接続する無線通信装置が増加した場合など、伝送する音楽や映像データなどのメディアデータが増加した場合には、それぞれが必要とする帯域を十分に確保できない場合がある（図２（ｂ）参照）。
そのため、各メディア伝送を行うための帯域の割り当てを制御することが必要となる。【０００５】
これまで、車載情報機器におけるメディアデータの伝送において、帯域を制御する技術が提案されている。例えば、特許文献１には、車両内マルチメディア情報提供装置において、制限された周波数帯域内で、複数のマルチメディア情報を伝送しつつ車両内で安全に使用するための方法が開示されている。特許文献１では、要求に応じて、伝送に必要な帯域を順次割り当てていき、使用を終了する帯域があれば、空き帯域が分断されないように使用中の帯域の割り当てを変更する。また、伝送情報の優先順位を予め決めておき、通話などの優先度の高いデータが来た場合には、すべての伝送データへの帯域割り当てを一旦破棄し、優先度の高いデータへの割り当てを行う。
【先行技術文献】
【特許文献】
【０００６】
【特許文献１】特開２００３−９２５７２号公報
【発明の概要】
【発明が解決しようとする課題】
【０００７】
しかしながら、特許文献１のような従来の技術では、伝送情報毎に決められた優先順位に従ってデータ伝送を行うため、ユーザの使用状況は加味されておらず、ユーザにとって適切な帯域割り当てができていないという課題があった。また、使用できる帯域は固定としているため、無線通信時に発生する他の無線ネットワークとの影響により、使用できる帯域が変わった場合には対応できないという課題があった。【０００８】
この発明は、上記のような課題を解決するためになされたものであり、カーナビゲーションシステムのような車載情報機器から無線通信によって音楽や映像などのメディアデータを受信する無線通信装置において、使用できる帯域が変化し、通信環境が悪化した場合でも、ユーザの使用状況に適した適切な帯域割り当てができる無線通信装置を提供することを目的とする。
【課題を解決するための手段】
【０００９】
上記目的を達成するため、この発明に係る無線通信装置は、車両に設置された車載情報機器と無線通信を行う無線通信装置において、前記車載情報機器からメディアデータを受信する受信部と、前記受信部が受信したメディアデータを出力する再生処理部と、前記車載情報機器と前記無線通信装置との通信状況を保持する通信状況保持部と、車両周辺情報に基づいて前記無線通信装置の使用状況を判断し、使用状況情報を生成する使用状況判定部と、前記通信状況保持部で保持されている前記通信状況情報と、前記使用状況判定部で生成された前記使用状況情報とを用いて、前記メディアデータの品質を決定する品質決定部と、前記品質決定部で生成された前記品質を、前記メディアデータの品質情報として前記車載情報機器へ送信する送信部とを備えたことを特徴とする。
【発明の効果】
【００１０】
この発明の無線通信装置によれば、データの種別による固定の優先度ではなく、ユーザの使用状況に応じてメディアデータの品質を決定することで、ユーザの使用状況に適した適切な帯域の割り当てを行うことができる。また、使用できる帯域の変化に応じてメディアデータの品質を決定することで、移動により他の無線ネットワークからの影響が変わる場合でも、その状況に応じた帯域の割り当てを行うことができる。
【図面の簡単な説明】
【００１１】
【図１】この発明の実施の形態１に係る無線通信装置の構成を示すブロック図である。
【図２】無線通信装置において、帯域を確保できない場合の例を示す図である。
【図３】この発明の実施の形態１に係る無線通信装置の品質決定部における品質決定処理を示すフローチャートである。
【図４】使用状況情報に含まれる使用状況の例を示す表である。
【図５】この発明の実施の形態２に係る無線通信装置の構成を示すブロック図である。
【図６】この発明の実施の形態３に係る無線通信装置の構成を示すブロック図である。
【図７】この発明の実施の形態４に係る無線通信装置の構成を示すブロック図である。
【図８】この発明の実施の形態４に係る無線通信装置の品質決定部における品質決定処理を示すフローチャートである。
【図９】この発明の実施の形態５に係る無線通信装置の品質決定部における品質決定処理を示すフローチャートである。
【発明を実施するための形態】
【００１２】
以下、この発明の実施の形態について、図面を参照しながら詳細に説明する。
実施の形態１．
図１は、この発明の実施の形態１に係る無線通信装置の構成を示すブロック図である。
この無線通信装置は、自動車などの移動体に搭載されるものである。
図１において、無線通信装置１は、通信部１１、通信状況保持部１２、再生処理部１３、使用状況判定部１４、および品質決定部１５を備えている。
また、通信部１１は、受信部１１１及び送信部１１２を備えている。
また、図１において、無線通信装置１は、カーナビに代表される車載情報機器と無線通信を行う。
【００１３】
無線通信装置１において、通信部１１の受信部１１１は、車載情報機器と無線通信を行い、車載情報機器から、音楽データや映像データ（画像データを含む）といったメディアデータ、例えば、車載情報機器が保持する音楽やビデオ映像、ナビ画面、地上デジタル放送などのメディアデータを受信する。また、受信部１１１は、車載情報機器から受信したメディアデータを再生処理部１３へと送信し、メディアデータ受信の際に分かるデータの誤りや欠落等の、車載情報機器と無線通信装置との通信状況を通信状況情報として通信状況保持部１２へと送信する。通信状況情報には、例えばパケットのエラー率やロス率が含まれる。
【００１４】
通信状況保持部１２は、受信部１１１から受信した通信状況情報を保持する。また、必要に応じて通信状況情報を品質決定部１５へと送信する。
再生処理部１３は、受信部１１１から受信したメディアデータをスピーカもしくは画面へ出力する。この際、再生処理部１３は、メディアデータをデコードして出力する。
【００１５】
使用状況判定部１４は、車両周辺情報に基づいてユーザの無線通信装置の使用状況を判断し、使用状況情報を生成して品質決定部１５へ送信する。具体的には、マイクから車内の音を収集し、音声認識技術を用いて音声データの有無を検出し、検出時に、音楽の再生やナビの音声案内を行っている場合には、検出した音声データから音楽の再生データ及びナビの音声案内データを除き、音声データの有無を検出する。なお、音声認識技術を用いて音声データの有無を検出する方法については公知の技術であるため、ここでは説明を省略する。
音声データありと判定した場合には、車内にて会話が発生しているとし、会話中であると判断する。
なお、実施の形態１では、使用状況情報として会話中を判断するが、使用状況情報には会話中の他、機器発話中、騒音発生中、非直視中などがある。使用状況情報に含まれる使用状況の例を図４に示す。なお、「音楽データ」とは、音楽の再生データ及びナビの音声案内データのことである。
【００１６】
品質決定部１５は、通信状況保持部１２で保持されている通信状況情報と、使用状況判定部１４で生成された使用状況情報とを用いて、メディアデータの品質を決定する。
通信部１１の送信部１１２は、品質決定部１５で決定されたメディアデータの品質を品質情報として車載情報機器へ送信する。車載情報機器では、送信部１１２が送信するメディアデータの品質情報に基づいて、無線通信装置１へ伝送するメディアデータの品質レベルを変更する。
【００１７】
次に、品質決定部１５におけるメディアデータの品質の決定処理について、フローチャートを用いて具体的に説明する。
図３は、この発明の実施の形態１に係る無線通信装置の品質決定部１５における品質決定処理を示すフローチャートである。
品質決定部１５は、まず、通信状況保持部１２から通信状況情報を取得する（ステップＳＴ１００）。
次に、品質決定部１５は、取得した通信状況情報をもとに、メディアデータの品質を変更する必要があるか否かを判断する。具体的には、通信状況情報に含まれるパケットエラー率（パケットのエラー率やロス率）が所定の閾値以上であるか否かを判断する（ステップＳＴ１０１）。
つまり、パケットエラー率が所定の閾値以上であるかどうかということによって通信環境が悪化しているかどうかを判断する。
【００１８】
ステップＳＴ１０１において、パケットエラー率が所定の閾値より小さい場合（ステップＳＴ１０１のＮＯの場合）、品質決定部１５は、メディアデータの品質を変更せず、通信状況情報に含まれる品質情報をそのままメディアデータの品質とする（ステップＳＴ１０６）。
一方、ステップＳＴ１０１において、パケットエラー率が所定の閾値以上である場合（ステップＳＴ１０１のＹＥＳの場合）、品質決定部１５は通信環境が悪化していると判断し、使用状況判定部１４より使用状況情報を取得する（ステップＳＴ１０２）。なお、ステップＳＴ１０２において、通信環境が悪化しているか否かの判断の前に、先に使用状況情報を取得しておくこととしてもよい。
次に、品質決定部１５は、ステップＳＴ１０２で取得した使用状況情報に基づいて、会話中であるか否かを判断する（ステップＳＴ１０３）。
【００１９】
ステップＳＴ１０３において会話中でないと判断された場合（ステップＳＴ１０３のＮＯの場合）は、メディアデータの品質を変更せず、通信状況情報に含まれる品質情報をそのままメディアデータの品質とする（ステップＳＴ１０６）。
一方、ステップＳＴ１０３において会話中であると判断された場合（ステップＳＴ１０３のＹＥＳの場合）、品質決定部１５は、通信状況情報に含まれるメディアデータの品質の内、音楽データの品質レベルを下げ、変更後の品質をメディアデータの品質とする（ステップＳＴ１０４）。
つまり、例えば、使用状況が会話中である場合には、ユーザは会話に注目するため、再生中の音楽データの品質が下がっても気にしないと考えられる。そのため、品質決定部１５は、使用状況が会話中である場合には、音楽データの品質を下げる。
【００２０】
品質決定部１５は、ステップＳＴ１０４又はステップＳＴ１０６で決定した品質レベルに基づき品質情報を生成し（ステップＳＴ１０５）、生成した品質情報を通信部１１へ送信する（ステップＳＴ１０７）。
なお、品質情報の生成の際、ステップＳＴ１０４においてメディアデータの品質レベルが下げられた後、一定時間パケットエラー率（パケットのエラー率やロス率）が改善した場合は、元の通信状況情報に含まれる品質情報に戻すこととする。また、この品質情報の設定の処理について、次のメディアデータ視聴の際には再びそのメディアデータの通信状況情報に含まれる品質情報から、上述の処理によって新たに品質情報が生成される。
【００２１】
以上のように、この実施の形態１によれば、通信状況が悪化した場合に、メディアデータの種類による固定の優先度ではなく、ユーザの使用状況に応じた品質の提供が可能になり、帯域の設定を車載装置側で可能にすることができる。また、使用する帯域を減らすことで、他のメディアデータの伝送に使用できる帯域を増やすことができる。また、使用できる帯域の変化に応じて品質を決定することで、移動により他の無線ネットワークからの影響が変わる場合でも、その状況に応じた帯域の割り当てを行うことができる。
【００２２】
なお、この実施の形態１では、会話中である場合に、音楽データの品質レベルを下げるようにしたが、会話中であれば、画面を注視する度合いが下がると考えられるため、映像データの品質レベルを下げるようにしてもよい。
【００２３】
また、この実施の形態１では、使用状況判定部１４は、使用状況として車内での会話中であるか否かを用いたが、使用状況として、機器発話中（ナビの音声案内中）であるか否かを用いるようにしてもよい。この場合、機器発話中（ナビの音声案内中）であるかの検出は、マイクから収集した車内の音より音声認識技術を用いて、音声検出を行う方法にて行う他、車載情報機器から機器発話中という情報を別途もらうように構成してもよい。
【００２４】
また、使用状況が会話中のものとして、携帯電話を介した通話も含める構成としてもよい。この場合、マイクを用いた音声認識による検出以外に、携帯電話と車載情報機器がＢｌｕｅｔｏｏｔｈ（登録商標）などの規格を用いて接続されていれば、その接続情報を車載情報機器から受け取り、会話中であるとして検出する方法を用いてもよい。
【００２５】
実施の形態２．
図５は、この発明の実施の形態２に係る無線通信装置の構成を示すブロック図である。
なお、実施の形態１で説明したものと同様の構成については、重複した説明を省略する。
この実施の形態２と実施の形態１との相違点は、使用状況判定部１４において使用状況を判断するために、マイクからの入力ではなく、車載情報機器から受け取った車両情報を用いて行う点である。車両情報には、車載情報機器が保持する地図情報や、車載情報機器の操作情報などを含む。
【００２６】
通信部１１の受信部１１１は、車載情報機器から、メディアデータとともに車両情報を受信し、受信した車両情報を使用状況判定部１４へ送信する。
使用状況判定部１４は、受信部１１１から受信した車両情報に基づいて、車内の騒音の発生状態を判定し、騒音発生中であるか否かの使用状況情報を生成する。例えば、車両情報として地図情報を受け取った場合、受け取った地図情報をもとに、トンネル内を走行中か否かを判断する。トンネル内を走行中であれば、騒音が大きくなると考えられるため、使用状況として騒音発生中とする。
【００２７】
また、車両情報として、車載情報機器の操作情報を受信した場合、例えば、受信した操作情報が窓の開閉操作情報であり、窓を開けた場合であれば、騒音が大きくなるため、騒音発生中と判断する。同様に、受信した操作情報がワイパーの動作情報である場合も、雨が降っており、騒音が大きくなるため、騒音発生中と判断する。
このように、使用状況判定部１４は、受信部１１１から受信した車両情報を用いて、騒音が発生したか否かという使用状況を判断する。
【００２８】
品質決定部１５は、使用状況判定部１４が生成した、騒音発生中であるか否かという使用状況情報を用いて、メディアデータの品質を決定する。具体的には、品質決定部１５は、使用状況情報が騒音発生中であれば、音楽データの品質レベルを下げる処理を行う。すなわち、実施の形態１における品質の決定処理とは、会話中か否かの使用状況の代わりに、騒音発生中であるか否かを用いる点が相違するだけである。
【００２９】
以上のように、この実施の形態２によれば、車載情報機器から受信した車両情報に基づいて、車内の騒音の発生状態を判定して騒音発生中であるか否かを判断し、騒音発生中である場合に、音楽データの品質を下げるように構成したので、騒音発生時には音楽が聞き取りにくくなるため音楽データの品質が下がっても問題がないというユーザの使用状況に応じたメディアデータの帯域の割り当てを行うことができる。また、音楽データの品質を下げて使用する帯域を減らすことにより、他のメディアデータが使用できる帯域を増やすことができる。
【００３０】
実施の形態３．
図６は、この発明の実施の形態３に係る無線通信装置の構成を示すブロック図である。
なお、実施の形態１で説明したものと同様の構成については、重複した説明を省略する。
この実施の形態３と実施の形態１との相違点は、使用状況判定部１４において使用状況を判断するために、マイクからの入力ではなく、車内に設置されたカメラにより取得した画像に基づき、ユーザが画面を注視しているか否かという直視状態を判断する点である。
【００３１】
使用状況判定部１４は、カメラからユーザの画像を取得し、既存の顔認識技術を用いて、取得したカメラ画像からユーザの顔を検出する。検出したユーザの顔が、画面に対して正面を向いていない場合は、画面を直視していないと判断し、非直視中であるとの使用状況情報を生成する。また、目線検出技術を用いて、ユーザの画面の直視状況を判定し、目線が画面以外を向いていれば、非直視中であるとの使用状況情報を生成する。
このように、使用状況判定部１４は、カメラから受信したユーザの顔の画像を用いて、画面の非直視中かどうかという使用状況を判断する。
【００３２】
品質決定部１５は、使用状況判定部１４が判断した、非直視中であるか否かという使用状況情報を用いて、メディアデータの品質を決定する。具体的には、品質決定部１５は、使用状況情報が非直視中であれば、映像データの品質レベルを下げる処理を行う。すなわち、実施の形態１における品質の決定処理とは、会話中か否かの使用状況の代わりに非直視中であるか否かを用いる点と、音楽データの品質を下げる代わりに映像データの品質を下げる点が相違するだけである。
【００３３】
以上のように、この実施の形態３によれば、使用状況判定部１４は、カメラにより取得した画像に基づき、ユーザが画面を注視しているか否かという使用状況情報を生成し、品質決定部１５は、非直視中である場合に、映像データの品質を下げるように構成したので、画面を注視していなければ映像データの品質が下がっても問題がないというユーザの使用状況に応じたメディアデータの帯域の割り当てを行うことができる。また、映像データの品質を下げて使用する帯域を減らすことにより、他のメディアデータが使用できる帯域を増やすことができる。
【００３４】
実施の形態４．
図７は、この発明の実施の形態４に係る無線通信装置の構成を示すブロック図である。
なお、実施の形態１で説明したものと同様の構成については、重複した説明を省略する。
以下に示す実施の形態４では、図１に示した実施の形態１の構成と比べると、操作情報保持部１６が追加されている。
操作情報保持部１６は、無線通信装置１の操作情報を保持し、操作情報を品質決定部１５に送信する。操作情報には、音量の上げ下げなど、音量の変更の有無の情報を含む。
【００３５】
品質決定部１５は、通信状況保持部１２から受信した通信状況情報と、使用状況判定部１４から受信した使用状況情報に加え、操作情報保持部１６から受信した操作情報を用いて、メディアデータの品質を決定する。例えば、使用状況判定部１４が判断した使用状況が会話中である場合に、ユーザが音量操作として、音量を上げた場合、そのユーザは、会話よりも音楽を聴くことを重視していると考えられる。そのため、使用状況判定部１４が判断した使用状況が会話中であっても、ユーザが音量を大きくした場合には、メディアデータの品質を変更しない。
【００３６】
次に、品質決定部１５における品質の決定処理について、フローチャートを用いて具体的に説明する。
図８は、この発明の実施の形態４に係る無線通信装置の品質決定部における品質決定処理を示すフローチャートである。
以下、実施の形態１において図３のフローチャートに示した品質決定処理との相違点を中心に説明する。
図８のステップＳＴ１００〜１０３の処理は、図３のステップＳＴ１００〜１０３の処理と同じである。
ステップＳＴ１０３において会話中であると判断された場合（ステップＳＴ１０３のＹＥＳの場合）、品質決定部１５は、操作情報保持部１６から操作情報を取得し（ステップＳＴ２００）、ユーザが音量を上げたかどうかを判断する（ステップＳＴ２０１）。すなわち、品質決定部１５は、操作情報保持部１６から受信した操作情報に、音量を大きくする音量の変更操作があるか否かを判断する。
【００３７】
ステップＳＴ２０１において、音量を大きくする操作があった場合（ステップＳＴ２０１のＹＥＳの場合）には、品質決定部１５は、音楽データの品質レベルを変更しない（ステップＳＴ１０６）。
一方、音量を大きくする操作がなかった場合（ステップＳＴ２０１のＮＯの場合）には、品質決定部１５は、音楽データの品質レベルを下げ、変更後の品質をメディアデータの品質とする（ステップＳＴ１０４）。以下、ステップＳＴ１０５，１０７の処理は、図３のステップＳＴ１０５，１０７と同じである。
なお、ここで、音量を大きくする操作があった場合には、音楽データの品質レベルを変更しないとしたが、音楽データの品質レベルを上げる、もしくは、標準に戻すようにしてもよい。
【００３８】
また、ここで、会話中であるか否かという使用状況を用いて、音量の変更操作があった場合に品質レベルを変更するように説明したが、会話中の使用状況にかえて、機器発話中や騒音発生中などの使用状況を用いたものとしてもよい。
【００３９】
以上のように、この実施の形態４によれば、通信状況が悪化した場合であり、ユーザが会話中などの場合であっても、ユーザにより音量を大きくする音量の変更操作があった場合には、ユーザは音楽に注目しているものとしてメディアデータの品質レベルを変更しないようにしたので、ユーザの使用状況に応じたメディアデータ品質とすることができる。
【００４０】
実施の形態５．
この発明の実施の形態５による無線通信装置の構成は、実施の形態１で示した図１と同じである。
この実施の形態５と実施の形態１との相違点は、無線通信装置１は、端末の使用者情報を使用状況判定部１４で生成し、使用状況判定部１４は、無線通信装置１の使用状況情報とともに、無線通信装置１の使用者情報を品質決定部１５へ送信する点である。具体的には、使用状況判定部１４は、無線通信装置１に設定された使用者情報として、無線通信装置１の使用者が子供であるか否かの情報を生成し、品質決定部１５へ送信する。
【００４１】
品質決定部１５は、使用状況判定部１４から取得した使用状況情報と使用者情報、また、通信状況保持部１２から受け取った通信状況情報を用いて、メディアデータの品質を決定する。例えば、使用状況判定部１４が判断した使用状況が会話中であった場合でも、使用者が子供であれば、会話よりも画面や音楽に注目していることが考えられるので、メディアデータの品質を変更しない。使用者が子供であるかどうかは、例えば、使用者を特定するＩＤが子供を示すＩＤであるかどうか、人が座っているかどうかを検知する着座センサーがある程度の体重を判定できる場合、それが一定範囲内であるかどうか、シートベルトの長さを検知できる場合、その長さが一定範囲内かどうか、再生されているメディアデータが子供用のものかどうか、等により判断する。
【００４２】
次に、品質決定部１５における品質の決定処理について、フローチャートを用いて具体的に説明する。
図９は、この発明の実施の形態５に係る無線通信装置の品質決定部１５における品質決定処理を示すフローチャートである。
以下、実施の形態１において図３のフローチャートに示した品質決定処理との相違点を中心に説明する。
図９のステップＳＴ１００〜１０３の処理は、図３のステップＳＴ１００〜１０３の処理と同じである。
ステップＳＴ１０３において会話中であると判断された場合、品質決定部１５は、使用状況判定部１４から使用者情報を取得し（ステップＳＴ３００）、使用者が子供であるか否かを判断する（ステップＳＴ３０１）。
【００４３】
ステップＳＴ３０１において、品質決定部１５は、無線通信装置１の使用者が子供であると判断した場合（ステップＳＴ３０１のＹＥＳの場合）は、音楽データの品質レベルを変更しない（ステップＳＴ１０６）。
一方、品質決定部１５は、無線通信装置１の使用者が子供でないと判断した場合（ステップＳＴ３０１のＮＯの場合）は、音楽データの品質を下げ、変更後の品質をメディアデータの品質とする（ステップＳＴ１０４）。以下、ステップＳＴ１０５，１０７の処理は、図３のステップＳＴ１０５，１０７と同じである。
【００４４】
以上のように、この実施の形態５によれば、ユーザが会話中などの場合であっても、無線通信装置１の使用者が子供である場合には、画面や音楽に注目しているものとしてメディアデータの品質を変更しないといったように、使用者に応じてメディアデータの品質を変更するようにしたので、子供の場合には優先して品質を保つことができるなど、ユーザの使用状況に応じたメディアデータの品質の制御を行うことができる。
【００４５】
なお、この実施の形態５では、無線通信装置１の使用者が子供でないと判断した場合に、音楽データの品質レベルを下げるようにしたが、映像データの品質レベルを下げるようにしても、又は、音楽データと映像データの両方の品質レベルを下げるようにしてもよい。
【００４６】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４７】
この発明に係る無線通信装置は、データの種別による固定の優先度ではなく、ユーザの使用状況に応じてメディアデータの品質を決定することで、ユーザの使用状況に適した適切な帯域の割り当てを行うことができるため、自動車などの移動体に搭載される無線通信装置などに適用することができる。
【符号の説明】
【００４８】
１  無線通信装置、１１  通信部、１２  通信状況保持部、１３  再生処理部、１４  使用状況判定部、１５  品質決定部、１６  操作情報保持部、１１１  受信部、１１２  送信部。
【図１】
0005813251.tif 000002
【図２】
0005813251.tif 000003
【図３】
0005813251.tif 000004
【図４】
0005813251.tif 000005
【図５】
0005813251.tif 000006
【図６】
0005813251.tif 000007
【図７】
0005813251.tif 000008
【図８】
0005813251.tif 000009
【図９】
0005813251.tif 000010